(57)【要約】【課題】被写体が移動した場合でも、ユーザが狙った被写体に合焦させること。【解決手段】本発明の第１の態様に係るオートフォーカス装置は、判定部４０、切替部４１、変更部４２を備える。判定部４０は、レンズ群１によって結像される被写体から得られる画像データに基づいて、撮影画面内に設定された第１評価エリア内での結像状態を評価し、被写体が移動したか否かを判定する。切替部４１は、判定部４０により被写体が第１評価エリア内において移動したと判定された場合に、第１評価エリアよりも大きく、複数のブロックを備える第２評価エリアに切替える。変更部４２は、複数のブロックそれぞれでの結像状態を評価し、第１評価エリアを複数のブロックのうちの１つに変更する。【選択図】図１
2010134309.tif 000002
【特許請求の範囲】
【請求項１】
撮像光学系によって結像される被写体から得られる画像データに基づいて、撮影画面内に設定された第１評価エリア内での結像状態を評価し、前記被写体が移動したか否かを判定する判定部と、
前記判定部により前記第１評価エリア内において前記被写体が移動したと判定された場合に、前記第１評価エリアよりも大きく、複数のブロックを備える第２評価エリアに切替える切替部と、
前記複数のブロックそれぞれでの結像状態を評価し、前記第１評価エリアを前記複数のブロックのうちの１つに変更する変更部と、
を備えるオートフォーカス装置。
【請求項２】
前記判定部により前記第１評価エリア内において前記被写体が移動していないと判定された場合、前記第１評価エリアは変更されないことを特徴とする請求項１に記載のオートフォーカス装置。
【請求項３】
前記変更部は、前記複数のブロックそれぞれのコントラストを求め、前記第１評価エリアを前記複数のブロックのうちコントラストが最も高いブロックに変更することを特徴とする請求項１又は２に記載のオートフォーカス装置。
【請求項４】
前記変更部は、前記複数のブロックぞれぞれのコントラストを求め、前記第１評価エリアを、前記複数のブロックのうち前記第１評価エリア内において前記被写体が移動したか否かを判定する前の前記第１評価エリアで得られたコントラストに近いブロックに変更することを特徴とする請求項１又は２に記載のオートフォーカス装置。
【請求項５】
撮像光学系によって結像される被写体から得られる画像データに基づいて、撮影画面内に設定された第１評価エリア内での結像状態を評価し、前記被写体が移動したか否かを判定し、
前記第１評価エリア内において前記被写体が移動したと判定された場合に、前記第１評価エリアよりも大きく、複数のブロックを備える第２評価エリアに切替え、
前記複数のブロックそれぞれでの結像状態を評価し、前記第１評価エリアを前記複数のブロックのうちの１つに変更する、
オートフォーカス方法。
【請求項６】
前記第１評価エリア内において前記被写体が移動していないと判定された場合、前記第１評価エリアを変更しないことを特徴とする請求項５に記載のオートフォーカス方法。
【請求項７】
前記複数のブロックそれぞれのコントラストを求め、前記複数のブロックのうちコントラストが最も高いブロックに前記第１評価エリアを変更することを特徴とする請求項５又は６に記載のオートフォーカス方法。
【請求項８】
前記複数のブロックぞれぞれのコントラストを求め、前記複数のブロックのうち前記第１評価エリア内において前記被写体が移動したか否かを判定する前の前記第１評価エリアで得られたコントラストに近いブロックに前記第１評価エリアを変更することを特徴とする請求項５又は６に記載のオートフォーカス方法。
【請求項９】
撮像光学系によって結像される被写体を撮影して画像データを生成する撮像部と、
請求項１〜４のいずれか１項に記載のオートフォーカス装置と、
を備える撮像装置。
【請求項１０】
撮像光学系によって結像される被写体を撮影して画像データを生成する撮像部と、
前記画像データに基づいて、撮影画面内に設定された第１評価エリア内での結像状態を評価し、前記被写体が移動したか否かを判定する判定部と、
前記判定部により前記第１評価エリア内において前記被写体が移動したと判定された場合に、前記第１評価エリアよりも大きく、複数のブロックを備える第２評価エリアに切替える切替部と、
前記複数のブロックそれぞれでの結像状態を評価し、前記第１評価エリアを前記複数のブロックのうちの１つに変更する変更部と、
前記変更部により変更された前記第１評価エリアでの結像状態に基づいて、前記撮像光学系の合焦動作を実行する制御部と、
を備える撮像装置。
【請求項１１】
前記判定部により前記第１評価エリア内において前記被写体が移動していないと判定された場合、前記第１評価エリアは変更されず、
前記制御部は、変更されていない前記第１評価エリアでの結合状態に基づいて、前記撮像光学系の合焦動作を実行することを特徴とする請求項１０に記載の撮像装置。
【請求項１２】
前記変更部は、前記複数のブロックそれぞれのコントラストを求め、前記複数のブロックのうちコントラストが最も高いブロックに前記第１評価エリアを変更することを特徴とする請求項１０又は１１に記載の撮像装置。
【請求項１３】
前記変更部は、前記複数のブロックぞれぞれのコントラストを求め、前記第１評価エリアを、前記複数のブロックのうち前記第１評価エリア内において前記被写体が移動したか否かを判定する前の前記第１評価エリアで得られたコントラストに近いブロックに変更することを特徴とする請求項１０又は１１に記載の撮像装置。
【発明の詳細な説明】
【技術分野】
【０００１】
本発明は、撮像装置における被写体の合焦状態を自動で調整するオートフォーカス技術に関する。
【背景技術】
【０００２】
ＣＣＤ（Charge Coupled Device）センサ、ＣＭＯＳ（Complementary Metal Oxide Semiconductor）センサ等の撮像素子を有するデジタルスチルカメラ、デジタルビデオカメラ等の撮像装置が実用化されている。これらの撮像装置に適用されるオートフォーカス（ＡＦ）方式として、撮像素子によって取得される撮影画像を使用したコントラスト検出方式が知られている。
【０００３】
コントラスト検出方式は、撮像光学系によって撮像素子の撮像面上に結像される被写体像が合焦状態にあるときは、撮像素子によって取得される撮影画像のコントラストが高くなることを利用する。具体的には、撮像光学系に含まれる合焦用レンズの位置又は撮像素子の位置を移動させることで被写体像の結像位置を順次変化させながら、撮影画像を順次取得する。
【０００４】
撮像素子により順次取得される複数の撮影画像に関して、これらのコントラストを示すコントラスト評価値を計算し、コントラスト評価値が極大となる被写体像の結像位置を合焦位置に決定する。コントラスト評価値には、例えば、空間周波数の高周波成分の積算値が使用される。このように、コントラスト評価値の極大値を探索することで合焦位置の決定を行なう制御アルゴリズムは、「山登り制御」と呼ばれる。
【０００５】
また、オートフォーカス中に被写体の移動があった場合でも、当該被写体に焦点を合わせることを可能とする技術が提案されている（特許文献１、２）。特許文献１に記載の撮像装置では、撮像画面の中央とこれ以外の複数のＡＦ領域が設定されており、これらのＡＦ領域間での被写体の移動を検知し、被写体の移動結果に応じて中央のＡＦ領域の情報とこれ以外のＡＦ領域の情報を利用して合焦位置が決定されている。しかしながら、上記の技術では、撮像画面の中央のＡＦ領域に重点をおいて合焦動作を行っており、被写体が撮像画面の中央以外に移動した場合、ユーザが狙った被写体に合焦されないという問題がある。
【０００６】
特許文献２に記載のオートフォーカスシステムでは、連続する画像データの同一画素同士の差を求め、この差に基づいて被写体の面積を一定値以上含む領域を新たなＡＦ領域としている。しかしながら、撮像画面内の複数の顔領域が検出された場合には、ＡＦ領域が撮影画面内の複数の領域に設定されるため、ユーザが狙った被写体に合焦されない場合がある。
【特許文献１】特開２００７−１１０５４号公報
【特許文献２】特開２００３−２４１０６５号公報
【発明の開示】
【発明が解決しようとする課題】
【０００７】
このように、上記の技術では、被写体が移動した場合に、ユーザが狙った被写体に合焦されないおそれがあるという問題がある。
【課題を解決するための手段】
【０００８】
本発明の第１の態様に係るオートフォーカス装置は、撮像光学系によって結像される被写体から得られる画像データに基づいて、撮影画面内に設定された第１評価エリア内での結像状態を評価し、前記被写体が移動したか否かを判定する判定部と、前記判定部により前記第１評価エリア内において前記被写体が移動したと判定された場合に、前記第１評価エリアよりも大きく、複数のブロックを備える第２評価エリアに切替える切替部と、前記複数のブロックそれぞれでの結像状態を評価し、前記第１評価エリアを前記複数のブロックのうちの１つに変更する変更部とを備えるものである。
【０００９】
本発明の第２の態様に係るオートフォーカス方法は、撮像光学系によって結像される被写体から得られる画像データに基づいて、撮影画面内に設定された第１評価エリア内での結像状態を評価し、前記被写体が移動したか否かを判定し、前記第１評価エリア内において前記被写体が移動したと判定された場合に、前記第１評価エリアよりも大きく、複数のブロックを備える第２評価エリアに切替え、前記複数のブロックそれぞれでの結像状態を評価し、前記第１評価エリアを前記複数のブロックのうちの１つに変更する。
【００１０】
本発明の第３の態様に係る撮像装置は、撮像光学系によって結像される被写体を撮影して画像データを生成する撮像部と、前記画像データに基づいて、撮影画面内に設定された第１評価エリア内での結像状態を評価し、前記被写体が移動したか否かを判定する判定部と、前記判定部により前記第１評価エリア内において前記被写体が移動したと判定された場合に、前記第１評価エリアよりも大きく、複数のブロックを備える第２評価エリアに切替える切替部と、前記複数のブロックそれぞれでの結像状態を評価し、前記第１評価エリアを前記複数のブロックのうちの１つに変更する変更部と、前記変更部により変更された前記第１評価エリアでの結像状態に基づいて、前記撮像光学系の合焦動作を実行する制御部とを備えるものである。
【００１１】
これにより、被写体の移動に伴って、被写体が移動した位置に第１評価エリアを移動させることができるため、被写体が移動した場合であっても、ユーザが狙った被写体に焦点を合わせることが可能となる。
【発明の効果】
【００１２】
本発明によれば、被写体が移動した場合であっても、ユーザが狙った被写体に合焦することができる。
【発明を実施するための最良の形態】
【００１３】
以下では、本発明を適用した具体的な実施の形態について、図面を参照しながら詳細に説明する。各図面において、同一要素には同一の符号が付されており、説明の明確化のため、必要に応じて重複説明は省略される。
【００１４】
実施の形態１．
本発明の実施の形態１に係る撮像装置１０の構成について、図１を参照して説明する。図１は、本実施の形態に係る撮像装置１０の主要構成を示すブロック図である。図１に示すように、撮像装置１０は、レンズ群１、センサ２、画像処理部３、ＡＦ制御部４、レンズ駆動部５、表示部６を備える。以下では、図１に含まれる各構成要素について順に説明する。
【００１５】
図１において、撮像光学系であるレンズ群１は、後述するセンサ２の撮像面に被写体像を結像させる。レンズ群１は、複数の光学レンズ群からなり、合焦用レンズ１１を含む。合焦用レンズ１１は、後述するレンズ駆動部５によって、レンズ群１とセンサ２を結ぶ光軸方向に移動可能である。
【００１６】
センサ２は、レンズ群１を介して入射する光信号を光電変換し、アナログ画像信号を出力する。センサ２は、撮像素子２１、アナログ信号処理部２２及びＡ／Ｄ変換部２３を含む。センサ２は、例えば、ＣＣＤ（Charge Coupled Device）イメージセンサ、ＣＭＯＳ（Complementary MOS）イメージセンサ等である。
【００１７】
アナログ信号処理部２２は、撮像素子から出力されるアナログ画像信号の増幅処理、ノイズ除去等の処理を行う。Ａ／Ｄ変換部２３は、アナログ信号処理部２２から出力されるアナログ画像信号をサンプリングすることで、デジタル画像信号としての画像データを生成する。画像処理部３は、センサ２のＡ／Ｄ変換部２３から供給される画像データに対するカラー補正、ホワイトバランス調整、ガンマ補正等の画像処理を行う。
【００１８】
ＡＦ制御部４は、画像処理部３から供給される画像データを用いて、コントラスト検出方式によるオートフォーカスを実行する。より具体的に述べると、ＡＦ制御部４は、センサ２により生成された撮影画面内に設定されている第１評価エリア内の結像状態を評価し、画像データ中の第１評価エリアに対応する領域のコントラストが極大となる合焦用レンズ１１の位置を決定する。
【００１９】
ここで、第１評価エリアとは、ユーザが焦点を合わせたい被写体を含む領域である。オートフォーカスを実行する前の初期の段階では、第１評価エリアは、例えば、撮影画面内の略中央部に設定することができる。ユーザは第１評価エリア内に被写体が入るように撮像装置の位置を調整し、例えば、シャッターボタンを半押し状態にすることによって、第１評価エリア内のコントラストが算出される。なお、後に説明するように、本発明ではこの第１評価エリアが被写体の移動に伴って移動する。
【００２０】
レンズ駆動部５は、ＡＦ制御部４による制御の下、合焦用レンズ１１を光軸方向に移動させる。表示部６は、センサ２が順次出力する撮影画像（スルー画像）の表示、オートフォーカス完了後のスルー画像の表示、ユーザがシャッターボタン（不図示）を操作することによって得られた撮影画像の表示等を行う。また、表示部６は、以下に説明する第１評価エリア、第２評価エリア、ＡＦ対象領域の表示を行う。例えば、これらの領域に対応して、それぞれ異なる色の枠を表示することができる。
【００２１】
ここで、図２を参照して、ＡＦ制御部４の構成について詳細に説明する。図２は、本実施の形態に係るＡＦ制御部４の主要構成を示すブロック図である。図２に示すように、ＡＦ制御部４は、判定部４０、切替部４１、変更部４２、評価値算出部４３、制御部４４を備える。
【００２２】
判定部４０は、レンズ群１によって結像される被写体から得られる画像データに基づいて、撮影画面内に設定された第１評価エリア内での結像状態を評価し、被写体が移動したか否かを判定する。具体的には、画像データ中の第１評価エリアに対応する領域のコントラストを算出し、コントラストが低下した場合、第１評価エリア内で被写体が移動したと判定する。例えば、コントラストに閾値を設け、この閾値よりも第１評価エリア内のコントラストが低下した場合に、被写体が第１評価エリア内において移動したと判定することができる。
【００２３】
切替部４１は、判定部４０により被写体が第１評価エリア内において移動したと判定された場合に、第２評価エリアに切替える。第２評価エリアは、第１評価エリアを含み、第１評価エリアよりも大きく、複数のブロックを備える。例えば、第２評価エリアは、第１評価エリアの４倍の大きさで、４つのブロックを備えるものとすることができる。
【００２４】
変更部４２は、第２評価エリア内の各ブロックそれぞれでの結像状態を評価し、第１評価エリアを複数のブロックのうちの１つに変更する。各ブロックのうち、最もコントラストが高いと判断されるブロックは、ユーザが焦点を合わせたい被写体が含まれる領域となる。変更部４２は、各ブロックについてコントラストを計算し、最もコントラストが高いブロックを新たな第１評価エリアに変更する。
【００２５】
ユーザが撮影処理を実行しない場合、判定部４０は、さらに変更された第１評価エリア内での結像状態を評価し、被写体が移動したか否かを判定する。その後、同様に、被写体が第１評価エリア内において移動したと判定された場合に、第１評価エリアを第２評価エリアに切替え、第２評価エリア内の各ブロックそれぞれでの結像状態を評価し、第１評価エリアを複数のブロックのうちの１つに変更する。このように、被写体が順次移動したとしても、第１評価エリアをそれに追従させて移動させることができる。なお、判定部４０により第１評価エリア内において被写体が移動していないと判定された場合には、評価エリアの変更は行われない。
【００２６】
そして、ユーザがシャッターボタンを押下し撮影処理を実行した場合、その時点の第１評価エリアがＡＦ対象エリアとなる。評価値算出部４３は、画像データの中で少なくともＡＦ対象エリアに対応する領域に関するコントラスト評価値を計算する。コントラスト評価値としては、撮影画像のコントラストの大きさを反映した様々なパラメータが使用可能である。
【００２７】
例えば、ＡＦ対象領域の空間周波数スペクトルを離散コサイン変換（DCT：Discrete Cosine Transform）によって得るとともに、空間周波数の高周波成分の大きさをコントラスト評価値としてもよい。また、例えば、ＡＦ対象領域の各々の画素について、水平方向又は垂直方向に隣接する画素との画素値の差分（絶対値）を計算し、得られた画素値の差分をＡＦ対象領域内において積算した積算値をコントラスト評価値としてもよい。なお、コントラスト評価値の算出方法は、これに限定されるものではない。
【００２８】
制御部４４は、評価値算出部４３によって計算されたＡＦ評価値を使用して、センサ２の撮像面における合焦状態の判定を行い、合焦状態が得られる合焦用レンズ１１の位置を決定する。より具体的に述べると、制御部４４は、合焦用レンズ１１の位置を移動させながらセンサ２に撮影画像を順次取得させ、ＡＦ評価値が極大となる合焦用レンズ１１の位置を求め、その位置を合焦位置と決定する。
【００２９】
なお、ガウス曲線及び二次曲線等の近似曲線又は実験により得られた特性曲線によって合焦用レンズ１１の位置からＡＦ評価値を推定し、コントラストが極大となる合焦位置を予測する技術を、制御部４４による合焦位置の探索アルゴリズムに適用してもよい。これらの具体例に限らず、制御部４４におけるコントラスト評価値を使用した合焦状態の判定には、公知の様々なアルゴリズムを適用可能である。レンズ駆動部５は、制御部４４による制御の下で、合焦用レンズ１１を光軸方向に沿って移動させる。
【００３０】
ここで、ＡＦ制御部４により実行される、オートフォーカスの処理手順について、図３、図４を参照して説明する。図３は、ＡＦ制御部４により実行されるオートフォーカスの処理手順を示すフローチャートである。図４は、第１評価エリアが変更される例について説明する図である。なお、図３においては、第１評価領域の変更手順のみならず、撮影処理を実行する手順についても図示している。図４は撮影画面を示しており、矩形状の枠が撮影画面内に設定された第１評価エリアＡ、第２評価エリアＢを示している。
【００３１】
図３に示すように、まず、判定部４０にセンサ２により生成された画像データが入力され、撮影画面内に設定された第１評価エリアでの結像状態が評価される（ステップＳ１０１）。図４（ａ）に示すように、例えば、ユーザが撮影画面内の略中央部に設定された第１評価エリアＡに被写体Ｒが入るように位置合わせを行い、シャッターボタンを半押し状態にすることにより、第１評価エリアＡでの結像状態が評価される。すなわち、第１評価エリアＡのコントラストが算出される。
【００３２】
その後、被写体が第１評価エリア内において移動したか否かが判定される（ステップＳ１０２）。図４（ｂ）に示すように、被写体Ｒが、第１評価エリアＡの右下に移動した場合、第１評価エリア内には、被写体Ｒと背景とが存在することとなる。このため、第１評価エリア内のコントラストが低下する。コントラストには閾値が設けられており、この閾値よりも第１評価エリア内のコントラストが低下した場合に、被写体が第１評価エリア内において移動したと判定される。
【００３３】
一方、第１評価エリア内のコントラストが閾値よりも高い場合には、被写体は、第１評価エリア内において移動していないと判定される。第１評価エリア内において被写体が移動していないと判定された場合（ステップＳ１０２ＮＯ）、評価エリアの変更は行われず、ステップＳ１０１に戻り、再度第１評価エリア内でコントラストが算出され、ステップＳ１０２で被写体が移動したか否かが判定される。
【００３４】
被写体が第１評価エリア内において移動したと判定された場合（ステップＳ１０２ＹＥＳ）、第１評価エリアから第２評価エリアに、評価エリアの切替が行われる（ステップＳ１０３）。図４（ｃ）に示すように、第２評価エリアは、第１評価エリアを含み、第１評価エリアよりも大きく、複数のブロックを備える。図４（ｃ）に示す例では、第２評価エリアＢは、第１評価エリアＡの４倍の大きさで、ｂ１、ｂ２、ｂ３、ｂ４の４つのブロックを備えるものとする。
【００３５】
そして、第２評価エリアＢ内の複数のブロックｂ１、ｂ２、ｂ３、ｂ４のぞれぞれで結像状態を評価し、第１評価エリアを複数のブロックのうちの１つに変更する（ステップＳ１０４）。具体的には、複数のブロックｂ１、ｂ２、ｂ３、ｂ４それぞれのコントラストを求め、複数のブロックのうちコントラストが最も高いブロックに第１評価エリアＡを変更する。図４（ｃ）に示すように、ブロックｂ１、ｂ２、ｂ３よりもブロックｂ４内に被写体Ｒが多く含まれる。このため、ブロックｂ４のコントラストが、ブロックｂ１、ｂ２、ｂ３のコントラストよりも高くなる。従って、図４（ｄ）に示すように、ブロックｂ４が新たな第１評価エリアＡとして設定される。
【００３６】
なお、複数のブロックｂ１、ｂ２、ｂ３、ｂ４のうち第１評価エリアＡ内において被写体Ｒが移動したか否かを判定する前の第１評価エリアＡで得られたコントラスト（図４（１））に近いブロックに変更するようにしてもよい。これにより、より確実にユーザが狙った被写体にピントを合わせることができる。
【００３７】
ユーザがシャッターボタンを押下せず、撮像処理を実行しない場合（ステップＳ１０５ＮＯ）、再度ステップＳ１０１に戻り、変更された第１評価エリアＡ内での結像状態を評価し、被写体が移動したか否かを判定する。その後、同様に、被写体が第１評価エリア内において移動したと判定された場合に、第２評価エリアに切替え、第２評価エリア内の各ブロックそれぞれでの結像状態を評価し、第１評価エリアを複数のブロックのうちの１つに変更する。このように、被写体が移動したとしても、第１評価エリアをそれに追従させて移動させることができる。
【００３８】
一方、ユーザがシャッターボタンを押下し、撮像処理を実行する場合（ステップＳ１０５ＹＥＳ）、その時点の第１評価エリアがＡＦ対象領域として決定される。このＡＦ対象領域を用いて、オートフォーカス処理が実行される（ステップＳ１０６）。具体的には、ステップＳ１０６では、制御部４４による制御下で、決定されたＡＦ対象領域のコントラストが極大となるように、オートフォーカス処理が実行される。すなわち、制御部４４は、その時点の第１評価エリアの合焦状態を評価して、この領域内の被写体にピントが合うように、合焦用レンズ１１の位置を決定する。
【００３９】
最後に、オートフォーカス処理が完了した状態で、撮影処理が実行される（ステップＳ１０７）。ステップＳ１０７で得られた画像データは、画像処理部３による画像処理が行われた後にメモリ（不図示）に格納される。なお、図３に示した撮影処理実行、オートフォーカスの実行、撮影の実行を含む一連の処理は、例えば、撮像装置１０に設けられたシャッターボタン（不図示）をユーザが押下する動作に応答して実行すればよい。なお、撮影処理を行う前に、オートフォーカス処理に引き続いて、撮影画像が適正な明るさとなるように自動露光（AE：Auto Exposure）処理を実行してもよい。
【００４０】
このように、本発明によれば、被写体の移動に追従して、第１評価エリアを移動させることができる。このため、ユーザの狙った被写体に追従して、オートフォーカス処理を行うことができる。また、被写体が撮像画面の中央以外に移動した場合でも、ユーザが狙った被写体に合焦することができる。
【００４１】
なお、上述の例では、第１評価エリア、第２評価エリアの形状は矩形状であるが、これに限定されるものではなく、ユーザの指定により変更することが可能である。また、図４に示す例では、被写体が横方向に移動した例について説明したが、これに限られない。被写体が撮像装置に対して近づく又は遠ざかる場合にも、コントラストが低下する。この場合においても、上記と同様に、第１評価エリアを、第１評価エリアよりも大きく、複数のブロックを有する第２評価エリアに切り替え、第１評価エリアの変更を行うことができる。
【００４２】
第２評価エリア内に被写体が入っておらず、複数のブロックのうちいずれを第１評価エリアに変更すべきか決定できない場合には、初期状態に戻り、撮影画面の略中央に設定された第１評価エリアを用いて結像状態を評価し、上記と同様の処理を繰り返すようにすることができる。
【００４３】
ところで、図１に示したＡＦ制御部４が実行する処理は、画像データを格納するためのメモリ及びＣＰＵ（Central Processing Unit）を有するコンピュータに、図２のステップＳ１０１〜Ｓ１０５までの処理手順が記述されたプログラムを実行させることによって実現可能である。
【００４４】
なお、上述した実施の形態では、レンズ群１に含まれる合焦用レンズ１１を移動させることによって、被写体像の結像位置を調節する例を示した。しかしながら、被写体像の結像位置の調節は、撮像素子であるセンサ２を移動させることにより行ってもよい。
【００４５】
なお、本発明は上述した実施の形態のみに限定されるものではなく、既に述べた本発明の要旨を逸脱しない範囲において種々の変更が可能であることは勿論である。
【図面の簡単な説明】
【００４６】
【図１】実施の形態に係る撮像装置を示すブロック図である。
【図２】実施の形態に係る撮像装置のＡＦ制御部を示すブロック図である。
【図３】実施の形態に係る撮像装置によるオートフォーカス処理手順を示すフローチャートである。
【図４】実施の形態に係る撮像装置で決定される評価エリアの例について説明する図である。
【符号の説明】
【００４７】
１  レンズ群
２  センサ
３  画像処理部
４  ＡＦ制御部
５  レンズ駆動部
６  表示部
１０  撮像装置
１１  合焦用レンズ
２１  撮像素子
２２  アナログ信号処理部
２３  Ａ／Ｄ変換部
４０  判定部
４１  切替部
４２  変更部
４３  評価値算出部
４４  制御部
【図１】
2010134309.tif 000003
【図２】
2010134309.tif 000004
【図３】
2010134309.tif 000005
【図４】
2010134309.tif 000006